(57)【要約】【課題】排出位置に排出された原稿の取り忘れを確実に防止する。【解決手段】複数枚のシート状の原稿を所定の給紙位置に積層して載置可能に構成され、載置された原稿を１枚毎に原稿読取位置まで給紙した後、給紙位置の下側に設定された所定の排出位置に排出するＡＤＦ（原稿給紙装置）であって、上面が給紙位置に略平面状に形成された給紙トレイと、上面が排出位置に略平面状に形成された排紙トレイと、給紙位置と排出位置との間を昇降自在に構成され、給紙位置及び排出位置において、上面が原稿Ｐの一部を支持するべく構成された移動トレイ１２と、排紙トレイ上の原稿の有無を検出する排紙検出センサ１６と、移動トレイ１２の昇降を制御するＣＰＵ１４１と、を備え、ＣＰＵ１４１は、機能的に、排紙検出センサ１６の検出結果に基づいて、移動トレイ１２を上昇させる上昇指示部１４１ｇを有する。【選択図】図５
2007320709.tif 000002
【特許請求の範囲】
【請求項１】
複数枚のシート状の原稿を所定の給紙位置に積層して載置可能に構成され、載置された原稿を１枚毎に所定位置まで給紙した後、前記給紙位置の下側に設定された所定の排出位置に排出する原稿給紙装置であって、
上面が前記給紙位置に略平面状に形成された給紙トレイと、
上面が前記排出位置に略平面状に形成された排紙トレイと、
前記給紙位置と前記排出位置との間を昇降自在に構成され、前記給紙位置及び排出位置において、上面が原稿の一部を支持するべく構成された移動トレイと、
前記排紙トレイ上の原稿の有無を検出する第１検出手段と、
前記移動トレイの昇降を制御する制御手段と、
を備え、
前記制御手段は、前記第１検出手段の検出結果に基づいて、前記移動トレイを上昇させる上昇指示部を有することを特徴とする原稿給紙装置。
【請求項２】
前記制御手段は、
前記給紙トレイに載置された全ての原稿が前記排紙トレイ上に排出されたことを判定する排紙完了判定部を有し、
前記上昇指示部は、前記排紙完了判定部の判定結果に基づいて、前記移動トレイを上昇させることを特徴とする請求項１に記載の原稿給紙装置。
【請求項３】
前記給紙トレイ上の原稿の有無を検出する第２検出手段を備え、
前記排紙完了判定部は、前記第２検出手段によって、前記給紙トレイ上に原稿が無いと検出された時点から予め設定された第１所定時間経過後に、全ての原稿が前記排紙トレイ上に排出されたと判定することを特徴とする請求項２に記載の原稿給紙装置。
【請求項４】
前記制御手段は、
前記排紙完了判定部によって、全ての原稿が前記排紙トレイ上に排出されたと判定された時点から予め設定された第２所定時間経過後に、前記第１検出手段に対して前記排紙トレイ上の原稿の有無を検出させ、前記排紙トレイ上に原稿が有る場合に、外部に対して所定の警報を報知する報知部を有することを特徴とする請求項２又は請求項３に記載の原稿給紙装置。
【請求項５】
外部に対して音声を出力する音声出力手段を備え、
前記報知部は、前記音声出力手段に対して、所定の音声を出力させることを特徴とする請求項４に記載の原稿給紙装置。
【請求項６】
前記制御手段は、
外部からの前記給紙トレイからの給紙を開始する旨の操作入力を受け付ける開始受付部と、
前記開始受付部によって、給紙を開始する旨の操作入力が受け付けられた場合に、前記移動トレイの下降を開始させる下降指示部と、
前記移動トレイの下降を開始した時点から予め設定された第３所定時間経過後に、前記給紙トレイからの給紙を開始する給紙開始部と、
を有することを特徴とする請求項３〜請求項５のいずれかに記載の原稿給紙装置。
【請求項７】
前記制御手段は、
前記第１検出手段によって、前記排紙トレイ上に原稿が有ると検出された場合に、前記下降指示部及び給紙開始部の動作を禁止する禁止部を有することを特徴とする請求項６に記載の原稿給紙装置。
【請求項８】
前記禁止部は、前記第２検出手段によって、前記給紙トレイ上に原稿が無いと検出された場合に、前記下降指示部及び給紙開始部の動作を禁止することを特徴とする請求項７に記載の原稿給紙装置。
【請求項９】
請求項１〜請求項８のいずれかに記載の原稿給紙装置と、
前記原稿給紙装置から供給された原稿に形成された画像を読み取り、前記画像に対応する画像データを生成する画像情報生成手段と、
を備えることを特徴とする画像読取装置。
【発明の詳細な説明】
【技術分野】
【０００１】
本発明は、複数枚のシート状の原稿を所定の給紙位置に積層して載置可能に構成され、載置された原稿を１枚毎に所定位置まで給紙した後、前記給紙位置の下方に設定された所定の排出位置に排出する原稿給紙装置及び画像読取装置に関するものである。特に、スキャナ、複写機、ファクシミリ、及び、これらの機能の内のいずれかの機能を有する複合機に関するものである。
【背景技術】
【０００２】
複数枚のシート状の原稿を所定の給紙位置に積層して載置可能に構成され、載置された原稿を１枚毎に、スキャナでの画像読取位置まで給紙した後、給紙位置の下方に設定された所定の排出位置に排出する原稿給紙装置を備えた複写機等の画像読取装置が知られている。このような複写機においては、コピーを開始する旨の操作が入力されると、給紙位置にセットされた原稿は１枚毎に、順次、画像読取位置まで搬送され、排出位置に排出されて積層される。そして、排出位置に排出された原稿は、コピー完了後、ユーザによって取り出される。
【０００３】
しかしながら、上記複写機において、排出位置は給紙位置の下方に設定されており、且つ、排出位置と給紙位置との間隔は、複写機の小型化の要求に対応して最小限に抑えられているため、排出位置に排出された原稿は、ユーザから視認し難い状態であった。その結果、ユーザは、排出位置に排出された原稿の存在に気が付かず、原稿を取り忘れるおそれがある。
【０００４】
上記の問題を解消するために種々の複写機が提案されている。例えば、排出位置に排出された原稿の有無を検出する排出原稿検出センサからの信号に基づいて、排出位置に排出された原稿が取り除かれていないと判断された場合に、表示パネルに、原稿が未だ原稿排出トレイ上に存在する旨の表示を行う複写機が開示されている（特許文献１参照）。この複写機によれば、ユーザが排出位置に排出された原稿を取り忘れることが防止される。
【特許文献１】特開２００１−３１２１０６号公報
【発明の開示】
【発明が解決しようとする課題】
【０００５】
しかしながら、表示パネルには、ガイダンス情報、設定情報等の種々の情報が表示されるため、ユーザは、表示パネルに表示された情報を視認して正確に把握しているとは限らない。例えば、少ない枚数のコピーを行う場合には、コピーを開始する旨の操作をした後、印刷出力された記録紙を持ち帰ることに意識が集中している場合が有る。このような場合には、ユーザは、表示パネルに原稿が未だ原稿排出トレイ上に存在する旨の表示がされているにも拘わらず、排出位置に排出された原稿を取り忘れる場合が有る。
【０００６】
本発明は、上記課題に鑑みてなされたものであって、排出位置に排出された原稿の取り忘れを確実に防止することの可能な原稿給紙装置及び画像読取装置を提供することを目的としている。
【課題を解決するための手段】
【０００７】
上記目的を達成するために請求項１に記載の原稿給紙装置は、複数枚のシート状の原稿を所定の給紙位置に積層して載置可能に構成され、載置された原稿を１枚毎に所定位置まで給紙した後、前記給紙位置の下側に設定された所定の排出位置に排出する原稿給紙装置であって、上面が前記給紙位置に略平面状に形成された給紙トレイと、上面が前記排出位置に略平面状に形成された排紙トレイと、前記給紙位置と前記排出位置との間を昇降自在に構成され、前記給紙位置及び排出位置において、上面が原稿の一部を支持するべく構成された移動トレイと、前記排紙トレイ上の原稿の有無を検出する第１検出手段と、前記移動トレイの昇降を制御する制御手段と、を備え、前記制御手段が、前記第１検出手段の検出結果に基づいて、前記移動トレイを上昇させる上昇指示部を有することを特徴としている。
【０００８】
請求項２に記載の原稿給紙装置は、請求項１に記載の原稿給紙装置であって、前記制御手段が、前記給紙トレイに載置された全ての原稿が前記排紙トレイ上に排出されたことを判定する排紙完了判定部を有し、前記上昇指示部が、前記排紙完了判定部の判定結果に基づいて、前記移動トレイを上昇させることを特徴としている。
【０００９】
請求項３に記載の原稿給紙装置は、請求項２に記載の原稿給紙装置であって、前記給紙トレイ上の原稿の有無を検出する第２検出手段を備え、前記排紙完了判定部が、前記第２検出手段によって、前記給紙トレイ上に原稿が無いと検出された時点から予め設定された第１所定時間経過後に、全ての原稿が前記排紙トレイ上に排出されたと判定することを特徴としている。
【００１０】
請求項４に記載の原稿給紙装置は、請求項２又は請求項３に記載の原稿給紙装置であって、前記制御手段が、前記排紙完了判定部によって、全ての原稿が前記排紙トレイ上に排出されたと判定された時点から予め設定された第２所定時間経過後に、前記第１検出手段に対して前記排紙トレイ上の原稿の有無を検出させ、前記排紙トレイ上に原稿が有る場合に、外部に対して所定の警報を報知する報知部を有することを特徴としている。
【００１１】
請求項５に記載の原稿給紙装置は、請求項４に記載の原稿給紙装置であって、外部に対して音声を出力する音声出力手段を備え、前記報知部が、前記音声出力手段に対して、所定の音声を出力させることを特徴としている。
【００１２】
請求項６に記載の原稿給紙装置は、請求項３〜請求項５のいずれかに記載の原稿給紙装置であって、前記制御手段が、外部からの前記給紙トレイからの給紙を開始する旨の操作入力を受け付ける開始受付部と、前記開始受付部によって、給紙を開始する旨の操作入力が受け付けられた場合に、前記移動トレイの下降を開始させる下降指示部と、前記移動トレイの下降を開始した時点から予め設定された第３所定時間経過後に、前記給紙トレイからの給紙を開始する給紙開始部と、を有することを特徴としている。
【００１３】
請求項７に記載の原稿給紙装置は、請求項６に記載の原稿給紙装置であって、前記制御手段が、前記第１検出手段によって、前記排紙トレイ上に原稿が有ると検出された場合に、前記下降指示部及び給紙開始部の動作を禁止する禁止部を有することを特徴としている。
【００１４】
請求項８に記載の原稿給紙装置は、請求項７に記載の原稿給紙装置であって、前記禁止部が、前記第２検出手段によって、前記給紙トレイ上に原稿が無いと検出された場合に、前記下降指示部及び給紙開始部の動作を禁止することを特徴としている。
【００１５】
請求項９に記載の画像読取装置は、請求項１〜請求項８のいずれかに記載の原稿給紙装置と、前記原稿給紙装置から供給された原稿に形成された画像を読み取り、前記画像に対応する画像データを生成する画像情報生成手段と、を備えることを特徴としている。
【発明の効果】
【００１６】
請求項１に記載の原稿給紙装置によれば、排出位置において移動トレイの上面が排出された原稿の一部を支持しており、移動トレイの上面が給紙位置と排出位置との間で昇降移動する空間（＝移動トレイの上面の昇降中の軌跡に対応する空間）が存在するため、この空間を介して排出位置に載置された原稿が視認可能となるので、排出位置に排出された原稿の取り忘れを確実に防止することができる。また、排紙トレイ上の原稿の有無の検出結果に基づいて、移動トレイが上昇されるため、適正なタイミングで移動トレイを上昇することができる。例えば、給紙が開始された時点で移動トレイを排出位置まで下降させ、排出された原稿が取り除かれた時点で移動トレイを給紙位置まで上昇させることができる。
【００１７】
請求項２に記載の原稿給紙装置によれば、給紙トレイに載置された全ての原稿が排紙トレイ上に排出されたことが判定され、その結果に基づいて、移動トレイが上昇されるため、更に適正なタイミングで移動トレイを上昇することができる。すなわち、給紙トレイに載置された全ての原稿が排紙トレイ上に排出され、且つ、排出された原稿がユーザによって取り除かれた後に、移動トレイを上昇させることができる。
【００１８】
請求項３に記載の原稿給紙装置によれば、給紙トレイ上に原稿が無いと検出された時点から予め設定された第１所定時間経過後に、全ての原稿が排紙トレイ上に排出されたと判定されるため、全ての原稿が排紙トレイ上に排出されたか否かを正確に判定することができる。すなわち、原稿の給紙が開始されてから、その原稿が排出されるまでに要する時間を第１所定時間として設定することにより、全ての原稿が排紙トレイ上に排出されたか否かを正確に判定することができるのである。
【００１９】
請求項４に記載の原稿給紙装置によれば、全ての原稿が排紙トレイ上に排出されたと判定された時点から予め設定された第２所定時間経過後に、排紙トレイ上に原稿が有る場合に、外部に対して所定の警報が報知されるため、排出位置に排出された原稿の取り忘れを更に確実に防止することができる。
【００２０】
請求項５に記載の原稿給紙装置によれば、外部に対して所定の音声が出力されるため、排出位置に排出された原稿の取り忘れを更に確実に防止することができる。すなわち、音声によって原稿の取り忘れが報知されるため、当該装置を使用しているユーザ以外のユーザであって、且つ、当該装置の近傍にいるユーザを介して、当該装置を使用しているユーザに原稿の取り忘れを伝達することも可能となる。
【００２１】
請求項６に記載の原稿給紙装置によれば、操作入力に対応して、移動トレイの下降を開始した時点から予め設定された第３所定時間経過後に、給紙トレイからの給紙が開始されるため、移動トレイの下降動作に要する時間より長い時間を第３所定時間として設定することにより、移動トレイの下降動作が完了した後に給紙を開始させることができる。
【００２２】
請求項７に記載の原稿給紙装置によれば、排紙トレイ上に原稿が有ると検出された場合に、下降指示部及び給紙開始部の動作が禁止されるため、前に使用したユーザが原稿を排紙トレイ上に置き忘れた場合に、次のユーザによる給紙開始の指示が実行されないので、排出位置に排出された原稿の取り忘れを早期にユーザに知らせることができる。
【００２３】
請求項８に記載の原稿給紙装置によれば、給紙トレイ上に原稿が無いと検出された場合に、下降指示部及び給紙開始部の動作が禁止されるため、給紙トレイ上に原稿をセットする前に誤操作等で給紙を開始する旨の操作入力が行われた場合であっても、下降指示部及び給紙開始部の動作が行われることが防止されるため、トラブルを防止することができる。
【００２４】
請求項９に記載の画像読取装置によれば、請求項１〜請求項８のいずれかに記載の原稿給紙装置を備え、この原稿給紙装置から供給された原稿に形成された画像が読み取られ、この画像に対応する画像データが生成されるため、排出位置に載置された原稿が視認可能で、排出位置に排出された原稿の取り忘れを確実に防止することの可能な画像読取装置を実現することができる。
【発明を実施するための最良の形態】
【００２５】
以下、本発明に係る画像読取装置の一例について図面を参照して説明する。図１は、本発明に係る画像読取装置の概略構成の一例を示すブロック図である。なお、ここでは、画像読取装置が、スキャナである場合について説明するが、複数枚のシート状の原稿を所定の給紙位置に積層して載置可能に構成され、載置された原稿を１枚毎に所定位置まで給紙した後、前記給紙位置の下側に設定された所定の排出位置に排出する原稿給紙装置を備える他の形態の画像読取装置（例えば、複写機、ファクシミリ、複合機等）でもよい。図１に示すように、スキャナ１００は、画像生成部１１０、操作部１２０、表示部１３０、及び、制御部１４０を備えている。
【００２６】
画像生成部１１０は、原稿に形成された画像を読み取り原稿画像情報を生成するものであって、画像読取部１１１及びＡＤＦ（Ａｕｔｏｍａｔｉｃ  Ｄｏｃｕｍｅｎｔ  Ｆｅｅｄｅｒ）１を備えている。画像読取部１１１は、読み取る対象の原稿に光を当て、反射光をＣＣＤ（Ｃｈａｒｇｅ  Ｃｏｕｐｌｅｄ  Ｄｅｖｉｃｅｓ）などで読み取って原稿画像情報を生成するものである。本発明に係るＡＤＦ１（原稿給紙装置の一部に相当する）は、画像読取部１１１の原稿読取位置へ原稿を搬送するものである。具体的には、ＡＤＦ１は、複数枚のシート状の原稿を所定の給紙位置に積層して載置可能に構成され、載置された原稿を１枚毎に画像読取部１１１の原稿読取位置まで給紙した後、給紙位置の下側に設定された所定の排出位置に排出するものである。
【００２７】
操作部１２０（原稿給紙装置の一部に相当する）は、ユーザからの操作入力を受け付けて、受け付けられた操作入力に対応する操作入力情報を生成し、制御部１４０（ＣＰＵ１４１）に出力するものである。操作部１２０は、例えば、テンキー、スタートボタン等の各種ボタン、及び、表示部１３０に配設されたＬＣＤと一体に形成されたタッチパネル等を備えている。
【００２８】
表示部１３０（原稿給紙装置の一部に相当する）は、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）等を備え、制御部１４０（ＣＰＵ１４１）からの指示に基づき、設定情報、ガイダンス情報、メッセージ情報等をユーザから視認可能に表示するものである。また、表示部１３０には、警報として異常（ここでは、排出位置に排出された原稿の取り忘れ）が発生した場合にブザー音を出力するブザー（音声出力手段に相当する）が配設されている。
【００２９】
制御部１４０（原稿給紙装置の一部に相当する）は、スキャナ１００全体の動作を制御するものであって、ＣＰＵ（Ｃｅｎｔｒａｌ  Ｐｒｏｃｅｓｓｉｎｇ  Ｕｎｉｔ）１４１と、ＲＡＭ（Ｒａｎｄｏｍ  Ａｃｃｅｓｓ  Ｍｅｍｏｒｙ）１４２と、図略のＲＯＭ（Ｒｅａｄ  Ｏｎｌｙ  Ｍｅｍｏｒｙ）とを備えている。
【００３０】
図２は、ＡＤＦ１の構成の一例を示す構成図である。（ａ）は、平面図であり、（ｂ）は側面断面図である。ＡＤＦ１は、給紙トレイ１１、移動トレイ１２、リフト部材１３、給紙ローラ１４、排紙トレイ１５、排紙検出センサ１６、及び、原稿検出センサ１７を備えている。
【００３１】
給紙トレイ１１は、上面が所定の給紙位置に略平面状に形成され、上面に複数枚のシート状の原稿Ｐが積層して載置されるものである。また、給紙トレイ１１は、一部（移動トレイ１２に対応する部分）が切りかかれた略矩形の平板状に形成され、その一端（ここでは、図（ａ）における給紙トレイ１１の上側端）がＡＤＦ１の筐体の側壁に係止されている。
【００３２】
移動トレイ１２は、給紙位置と排出位置との間を昇降自在に構成され、給紙位置及び排出位置において、上面が原稿Ｐの一部を支持するべく構成されたものである。すなわち、移動トレイ１２は、上昇時（図に実線で示す位置）には、その上面が給紙位置に載置された原稿Ｐの一部（図（ａ）における原稿Ｐの右下部）を支持し、下降時（図に破線で示す位置）には、その上面が排出位置に載置された原稿Ｐの一部（図（ａ）における原稿Ｐの右下部）を支持するべく構成されたものである。
【００３３】
リフト部材１３は、給紙トレイ１１に載置された原稿Ｐの先端部（図における原稿Ｐの左端部）を支持すると共に、給紙時に原稿Ｐの先端部（図における原稿Ｐの左端部）を給紙ローラ１４に圧着させるべく上方へ付勢する略平板状のものである。また、リフト部材１３は、基端が図４に示す回転軸２３に係止され、回転軸２３の回転に伴って、先端が昇降するものである。
【００３４】
給紙ローラ１４は、給紙位置に載置された原稿Ｐの上方に配設され、最上面の原稿Ｐを所定位置（ここでは、図１に示す画像読取部１１１が原稿Ｐに形成された画像を読み取る際の原稿Ｐの位置である原稿読取位置ＲＰ）まで給紙するものである。
【００３５】
排紙トレイ１５は、上面が所定の排紙位置に略平面状に形成され、上面に原稿読取位置ＲＰを通過して搬送された原稿Ｐが積層して載置されるものである。また、排紙トレイ１５は、その上面が、一部（移動トレイ１２に対応する部分）が切りかかれた略矩形の平板状に形成され、４方向の端面がＡＤＦ１の筐体の側壁と一体に形成されている。
【００３６】
排紙検出センサ１６（第１検出手段に相当する）は、排紙トレイ１５上の原稿Ｐの有無を検出するものであって、例えば、反射型のフォトインタラプタを備えている。すなわち、排紙トレイ１５上に原稿Ｐが有る場合には、フォトインタラプタから出射された光が原稿Ｐで反射され、フォトインタラプタで検出されることにより、原稿Ｐが有ると検出されるものである。また、排紙トレイ１５上に原稿Ｐが無い場合には、フォトインタラプタから出射された光の原稿Ｐでの反射光が、フォトインタラプタで検出されないため、原稿Ｐが無いと検出されるものである。
【００３７】
原稿検出センサ１７（第２検出手段に相当する）は、給紙トレイ１１上の原稿Ｐの有無を検出するものであって、例えば、反射型のフォトインタラプタを備えている。すなわち、給紙トレイ１１上に原稿Ｐが有る場合には、フォトインタラプタから出射された光が原稿Ｐで反射され、フォトインタラプタで検出されることにより、原稿Ｐが有ると検出されるものである。また、給紙トレイ１１上に原稿Ｐが無い場合には、フォトインタラプタから出射された光の原稿Ｐでの反射光が、フォトインタラプタで検出されないため、原稿Ｐが無いと検出されるものである。
【００３８】
ここで、図３及び図４を用いて、移動トレイ１２の駆動機構を説明する。図３は、移動トレイ１２の駆動機構の構成図（平面図）である。ただし、便宜上、上面から見た場合に移動トレイ１２の駆動機構２を遮る部材は透視されるとして表記している。図４は、リンク棒２４の回転軸２３を中心とした回転により移動トレイ１２が昇降されることを説明するための図である。図３に示すように、移動トレイ１２の駆動機構２は、モータ２１、ギア２２、回転軸２３、リンク棒２４、係合部材２５、及び、支持部材２６を備えている。
【００３９】
モータ２１は、図１に示す制御部１４０からの指示に従って、ギア２２を介して回転軸２３を回転駆動するものである。ギア２２は、モータ２１からのトルクを回転軸２３に減速して伝達するものである。
【００４０】
回転軸２３は、ＡＤＦ１の筐体の側壁ＳＷに形成された支持孔２３１で回転可能に支持され、モータ２１からギア２２を介して伝達されたトルクによって回転するものである。リンク棒２４は、回転軸２３のトルクにより移動トレイ１２を昇降させるものであって、基端部（図３の左側端部）が回転軸２３に係止され、先端部（図３の右側端）が係合部材２５と係合するべく略Ｌ字状に形成されたものである。
【００４１】
係合部材２５は、移動トレイ１２の一方の端部（図３では上端部）に形成され、移動トレイ１２と一体に形成され、リンク棒２４と係合して、移動トレイ１２を昇降させるものである。また、係合部材２５は、リンク棒２４側の端部が、側面視（図４（ｃ）参照）中空の矩形状に形成され、この中空部にリンク棒２４の先端部が挿入されて係合される（図４（ａ）参照）ものである。更に、係合部材２５の側壁近傍には、支持部材２６を貫通させる孔２５１が形成されている。
【００４２】
支持部材２６は、上端及び下端がそれぞれ給紙トレイ１１及び排紙トレイ１５にそれぞれ係止され、移動トレイ１２を昇降自在に支持する略円柱状の部材である。すなわち、支持部材２６は、移動トレイ１２と一体に形成された係合部材２５に形成された孔２５１を摺動自在に貫通し、移動トレイ１２を支持部材２６に沿って昇降させるガイドとして機能するものである。
【００４３】
つぎに、図４を用いて、駆動機構２の動作を説明する。図４の（ａ）は、平面図であり、（ｂ）は側面図であり、（ｃ）は背面図（図（ｂ）の右側から見た図）である。移動トレイ１２を下降させる場合には、まず、リンク棒２４を所定方向（図４（ｃ）では、反時計回り）に回転させるべくモータ２１が駆動される。これに伴って、リンク棒２４の先端が下降し、その先端に係合している係合部材２５が下側に付勢される。そして、係合部材２５が支持部材２６に沿って下降することにより、係合部材２５と一体に形成された移動トレイ１２が、排紙位置に対応する図の破線位置まで下降する。
【００４４】
逆に、移動トレイ１２を上昇させる場合には、まず、リンク棒２４を逆方向（図４（ｃ）では、時計回り）に回転させるべくモータ２１が駆動される。これに伴って、リンク棒２４の先端が上昇し、その先端に係合している係合部材２５が上側に付勢される。そして、係合部材２５が支持部材２６に沿って上昇することにより、係合部材２５と一体に形成された移動トレイ１２が、給紙位置に対応する図の実線位置まで上昇する。
【００４５】
図５は、制御部１４０（ＣＰＵ１４１）の機能構成の一例を示す構成図である。ＣＰＵ１４１は機能的に、開始受付部１４１ａ、下降指示部１４１ｂ、禁止部１４１ｃ、給紙開始部１４１ｄ、排紙完了判定部１４１ｅ、報知部１４１ｆ、及び、上昇指示部１４１ｇを備えている。
【００４６】
ここでは、ＣＰＵ１４１が、図略のＲＯＭ（Ｒｅａｄ  Ｏｎｌｙ  Ｍｅｍｏｒｙ）等に予め格納されたプログラムを読み出して実行することにより、開始受付部１４１ａ、下降指示部１４１ｂ、禁止部１４１ｃ、給紙開始部１４１ｄ、排紙完了判定部１４１ｅ、報知部１４１ｆ、及び、上昇指示部１４１ｇ等の機能部として機能するものである。
【００４７】
また、図１に示すＲＡＭ１４２、図略のＲＯＭ等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００４８】
開始受付部１４１ａは、操作部１２０を介して、給紙トレイ１１からの給紙を開始する旨の操作入力を受け付けるものである。具体的には、開始受付部１４１ａは、操作入力として、例えば、ユーザによって操作部１２０に配設されたスタートボタンが押下された場合に、給紙トレイ１１からの給紙を開始する旨の指示を受け付けるものである。
【００４９】
下降指示部１４１ｂは、開始受付部１４１ａによって、給紙を開始する旨の操作入力が受け付けられた場合に、移動トレイ１２の下降を開始させるべく、図３に示すモータ２１に対して指示情報を出力するものである。また、下降指示部１４１ｂは、禁止部１４１ｃによって、動作が禁止された場合には、移動トレイ１２の下降を開始させない（＝モータ２１に対して指示情報を出力しない）ものである。
【００５０】
禁止部１４１ｃは、図３に示す排紙検出センサ１６によって、排紙トレイ１５上に原稿が有ると検出された場合に、下降指示部１４１ｂ及び給紙開始部１４１ｄの動作を禁止すると共に、図３に示す原稿検出センサ１７によって、給紙トレイ１１上に原稿が無いと検出された場合に、下降指示部１４１ｂ及び給紙開始部１４１ｄの動作を禁止するものである。
【００５１】
給紙開始部１４１ｄは、移動トレイ１２の下降を開始した時点から予め設定された所定時間Ｔ１（図６参照：第３所定時間に相当する）経過後に、給紙トレイ１１からの給紙を開始するべく、図３に示す給紙ローラ１４等を駆動するものである。また、給紙開始部１４１ｄは、禁止部１４１ｃによって、動作が禁止された場合には、給紙トレイ１１からの給紙を開始しない（＝給紙ローラ１４等を駆動する指示情報を出力しない）ものである。ここで、所定時間Ｔ１は、移動トレイ１２が下降開始から下降完了に要する時間（例えば、２秒間）より少し長い時間（例えば、３秒間）に設定される。
【００５２】
排紙完了判定部１４１ｅは、給紙トレイ１１に載置された全ての原稿が排紙トレイ１５上に排出されたことを判定するものである。具体的には、排紙完了判定部１４１ｅは、図３に示す原稿検出センサ１７によって、給紙トレイ１１上に原稿が無いと検出された時点から所定時間Ｔ２（図７参照：第１所定時間に相当する）経過後に、全ての原稿が排紙トレイ１５上に排出されたと判定するものである。ここで、所定時間Ｔ２は、給紙トレイ１１の原稿が給紙開始されて、排紙トレイ１５上に排出されるまでに要する時間（例えば、０．８秒間）より少し長い時間（例えば、１秒間）に設定される。
【００５３】
報知部１４１ｆは、排紙完了判定部１４１ｅによって、全ての原稿が排紙トレイ１５上に排出されたと判定された時点から予め設定された所定時間Ｔ３（図７参照：第２所定時間に相当する）経過後に、排紙検出センサ１６に対して排紙トレイ１５上の原稿の有無を検出させ、排紙トレイ１５上に原稿が有る場合に、外部に対して所定の警報を報知するものである。具体的には、報知部１４１ｆは、所定の警報として、例えば、図１に示す表示部１３０に配設されたブザーに対して、所定の音声（ブザー音）を出力させるものである。ここで、所定時間Ｔ３は、給紙トレイ１１に載置された全ての原稿が排紙トレイ１５上に排出された時点から排紙トレイ１５上に排出された原稿がユーザによって取り除かれるまでに要する時間（例えば、４秒間）より少し長い時間（例えば、５秒間）に設定される。
【００５４】
上昇指示部１４１ｇは、図２に示す排紙検出センサ１６の検出結果、及び、排紙完了判定部１４１ｅの判定結果に基づいて、移動トレイ１２を上昇させるものである。具体的には、上昇指示部１４１ｇは、例えば、排紙完了判定部１４１ｅによって、給紙トレイ１１に載置された全ての原稿が排紙トレイ１５上に排出されたと判定され、且つ、排紙検出センサ１６によって排紙トレイ１５上の原稿が無いと判定された場合に、移動トレイ１２を上昇させるべく、図３に示すモータ２１に対して指示情報を出力するものである（図７参照）。
【００５５】
図６、図７は、図１に示す制御部１４０（ＣＰＵ１４１）の動作の一例を示すフローチャートである。まず、図６に示すように、開始受付部１４１ａによって、操作部１２０に配設されたスタートボタンが押下されたか否か（＝給紙開始の指示がされたか否か）が判定される（Ｓ１０１）。スタートボタンが押下されていないと判定された場合（Ｓ１０１でＮＯ）には、処理が待機状態とされる。スタートボタンが押下されたと判定された場合（Ｓ１０１でＹＥＳ）には、禁止部１４１ｃによって、給紙トレイ１１上に原稿が有るか否かが判定される（Ｓ１０３）。給紙トレイ１１上に原稿が無いと判定された場合（Ｓ１０３でＮＯ）には、処理がステップＳ１０１に戻される。給紙トレイ１１上に原稿が有ると判定された場合（Ｓ１０３でＹＥＳ）には、禁止部１４１ｃによって、排紙トレイ１５上に原稿が無いか否かが判定される（Ｓ１０５）。排紙トレイ１５上に原稿が有ると判定された場合（Ｓ１０５でＮＯ）には、処理がステップＳ１０１に戻される。
【００５６】
排紙トレイ１５上に原稿が無いと判定された場合（Ｓ１０５でＹＥＳ）には、下降指示部１４１ｂによって、移動トレイ１２の下降が開始される（Ｓ１０７）。そして給紙開始部１４１ｄによって、移動トレイ１２の下降開始の時点から所定時間Ｔ１（例えば、３秒間）が経過したか否かが判定される（Ｓ１０９）。所定時間Ｔ１が経過していないと判定された場合（Ｓ１０９でＮＯ）には、処理が待機状態とされる。所定時間Ｔ１が経過したと判定された場合（Ｓ１０９でＹＥＳ）には、給紙開始部１４１ｄによって給紙トレイ１１からの給紙が開始される（Ｓ１１１）。
【００５７】
そして、図７に示すように、図２に原稿読取位置ＲＰで原稿に形成された画像が読み取られる（Ｓ１１３）。次いで、排紙完了判定部１４１ｅによって、排紙トレイ１５上に排出された原稿が有るか否かが判定される（Ｓ１１５）。排紙トレイ１５上に排出された原稿が無いと判定された場合（Ｓ１１５でＮＯ）には、処理がステップＳ１１３に戻される。排紙トレイ１５上に排出された原稿が有ると判定された場合（Ｓ１１５でＹＥＳ）には、排紙完了判定部１４１ｅによって、給紙トレイ１１上に原稿が無いか否かが判定される（Ｓ１１７）。給紙トレイ１１上に原稿が有ると判定された場合（Ｓ１１７でＮＯ）には、処理がステップＳ１１３に戻される。排紙完了判定部１４１ｅによって、給紙トレイ１１上に原稿が無いと判定された場合（Ｓ１１７でＹＥＳ）には、排紙完了判定部１４１ｅによって、ステップＳ１１７でＹＥＳと判定された時点から所定時間Ｔ２（例えば、１秒）が経過したか否か（＝給紙トレイ１１に載置された全ての原稿が排紙トレイ１５上に排出されたか否か）が判定される（Ｓ１１９）。
【００５８】
所定時間Ｔ２が経過していないと判定された場合（Ｓ１１９でＮＯ）には、処理が待機状態とされる。所定時間Ｔ２が経過したと判定された場合（Ｓ１１９でＹＥＳ）には、報知部１４１ｆによって、排紙トレイ１５上に原稿が無いか否か（ユーザによって取り除かれたか否か）が判定される（Ｓ１２１）。排紙トレイ１５上に原稿が有ると判定された場合（Ｓ１２１でＮＯ）には、報知部１４１ｆによって、ステップＳ１１９でＹＥＳと判定された時点から所定時間Ｔ３（例えば、５秒間）経過したか否かの判定が行われる（Ｓ１２３）。
【００５９】
所定時間Ｔ３が経過していないと判定された場合（Ｓ１２３でＮＯ）には、処理がステップ１２１に戻される。所定時間Ｔ３が経過したと判定された場合（Ｓ１２３でＹＥＳ）には、報知部１４１ｆによって、ブザー音の出力が開始され（Ｓ１２５）、処理がステップＳ１２１に戻される。ステップＳ１２１でＹＥＳの場合には、報知部１４１ｆによって、ブザー音の出力が終了される（Ｓ１２７）。そして、上昇指示部１４１ｇによって、移動トレイ１２が上昇され（Ｓ１２９）、処理が終了される。
【００６０】
このようにして、排出位置において移動トレイ１２の上面が排出された原稿Ｐの一部を支持しており、移動トレイ１２の上面が給紙位置と排出位置との間で昇降移動する空間（＝移動トレイ１２の上面の昇降中の軌跡に対応する空間）が存在するため、この空間を介して排出位置に載置された原稿Ｐが視認可能となるので、排出位置に排出された原稿Ｐの取り忘れを確実に防止することができる。また、排紙トレイ１５上の原稿の有無の検出結果に基づいて、移動トレイ１２が上昇されるため、適正なタイミングで移動トレイ１２を上昇することができる。例えば、給紙が開始された時点で移動トレイ１２を排出位置まで下降させ、排出された原稿が取り除かれた時点で移動トレイ１２を給紙位置まで上昇させることができる。
【００６１】
また、給紙トレイ１１に載置された全ての原稿が排紙トレイ１５上に排出されたことが判定され、その結果に基づいて、移動トレイ１２が上昇されるため、更に適正なタイミングで移動トレイ１２を上昇することができる。すなわち、給紙トレイ１１に載置された全ての原稿が排紙トレイ１５上に排出され、且つ、排出された原稿Ｐがユーザによって取り除かれた後に、移動トレイ１２を上昇させることができる。
【００６２】
更に、給紙トレイ１１上に原稿Ｐが無いと検出された時点から所定時間Ｔ２経過後に、全ての原稿Ｐが排紙トレイ１５上に排出されたと判定されるため、全ての原稿Ｐが排紙トレイ１５上に排出されたか否かを正確に判定することができる。すなわち、原稿Ｐの給紙が開始されてから、その原稿Ｐが排出されるまでに要する時間を所定時間Ｔ２として設定することにより、全ての原稿Ｐが排紙トレイ１５上に排出されたか否かを正確に判定することができるのである。
【００６３】
加えて、全ての原稿Ｐが排紙トレイ１５上に排出されたと判定された時点から所定時間Ｔ３経過後に、排紙トレイ１５上に原稿Ｐが有る場合に、ブザー音が出力されるため、排出位置に排出された原稿Ｐの取り忘れを更に確実に防止することができる。すなわち、ブザー音によって原稿Ｐの取り忘れが報知されるため、スキャナ１００を使用しているユーザ以外のユーザであって、且つ、スキャナ１００の近傍にいるユーザを介して、スキャナ１００を使用しているユーザに原稿Ｐの取り忘れを伝達することも可能となる。
【００６４】
更に、移動トレイ１２の下降を開始した時点から所定時間Ｔ１経過後に、給紙トレイ１１からの給紙が開始されるため、移動トレイ１２の下降動作に要する時間より長い時間を所定時間Ｔ１として設定することにより、移動トレイ１２の下降動作が完了した後に給紙を開始させることができる。
【００６５】
加えて、排紙トレイ１５上に原稿Ｐが有ると検出された場合に、下降指示部１４１ｂ及び給紙開始部１４１ｄの動作が禁止されるため、前に使用したユーザが原稿Ｐを排紙トレイ１５上に置き忘れた場合に、次のユーザによる給紙開始の指示が実行されないので、排出位置に排出された原稿Ｐの取り忘れを早期にユーザ（＝前に使用したユーザ）に知らせることができる。
【００６６】
また、給紙トレイ１１上に原稿が無いと検出された場合に、下降指示部１４１ｂ及び給紙開始部１４１ｄの動作が禁止されるため、給紙トレイ１１上に原稿Ｐをセットする前に誤操作等で給紙を開始する旨の操作入力（ここではスタートボタンの押下）が行われた場合であっても、下降指示部１４１ｂ及び給紙開始部１４１ｄの動作が行われることが防止されるため、トラブルを防止することができる。
【００６７】
なお、本発明は、以下の形態にも適用可能である。
（Ａ）本実施形態では、排紙完了判定部１４１ｅが、予め設定された所定時間Ｔ２を用いて全ての原稿が排紙トレイ１５上に排出されたタイミングを判定する場合について説明したが、排紙完了判定部１４１ｅが、原稿のサイズに基づいて設定される所定時間Ｔ２を用いる形態でもよい。すなわち、原稿のサイズ毎に所定時間Ｔ２を格納するテーブル等の記憶部を備え、排紙完了判定部１４１ｅが、検出された原稿のサイズに対応する所定時間Ｔ２をテーブルから読み出して、設定する形態でもよい。この場合には、全ての原稿が排紙トレイ１５上に排出されたタイミングを更に正確に判定することができる。
【００６８】
（Ｂ）本実施形態では、報知部１４１ｆが、予め設定された所定時間Ｔ３を用いて、警報を報知するタイミングを決定する場合について説明したが、所定時間Ｔ３が外部からの操作入力に基づいて設定可能に構成される形態でもよい。この場合には、警報を発するタイミングをユーザが設定可能となるため、利便性を向上することができる。
【００６９】
（Ｃ）本実施形態では、給紙開始部１４１ｄが、予め設定された所定時間Ｔ１を用いて、給紙トレイ１１からの給紙を開始するタイミングを決定する場合について説明したが、移動トレイ１２の下降完了を検出する構成を備える形態でもよい。この場合には、給紙トレイ１１からの給紙を開始するタイミングを更に正確に決定することができる。
【００７０】
（Ｄ）本実施形態では、報知部１４１ｆが、ブザー音を出力させる場合について説明したが、報知部１４１ｆが、その他の音声を出力する形態でもよいし、その他（音声以外）の警報を出力する形態でもよい。例えば、「原稿が残っています」という音声を出力する形態でもよいし、表示部１３０のＬＣＤにメッセージを表示する形態でもよいし、表示部１３０のＬＥＤを点灯（又は点滅）させる形態でもよい。
【００７１】
また、警報として、音声の出力及びメッセージ等の表示を併用する形態でもよい。例えば、まず、メッセージ等の表示を行い、所定時間経過後（例えば、５秒）に音声を出力する形態でもよい。この場合には、音声が頻繁に出力されて、周囲のユーザに迷惑をかけることが防止され、且つ、原稿の取り忘れを確実に防止することができる。
【図面の簡単な説明】
【００７２】
【図１】は、本発明に係る画像読取装置の概略構成の一例を示すブロック図である。
【図２】は、ＡＤＦの構成の一例を示す構成図である。
【図３】は、移動トレイの駆動機構の構成図（平面図）である。
【図４】は、リンク棒の回転軸を中心とした回転により移動トレイが昇降されることを説明するための図である。
【図５】は、制御部（ＣＰＵ）の機能構成の一例を示す構成図である。
【図６】は、図１に示す制御部（ＣＰＵ）の動作の一例を示すフローチャート（前半部）である。
【図７】は、図１に示す制御部（ＣＰＵ）の動作の一例を示すフローチャート（後半部）である。
【符号の説明】
【００７３】
１    ＡＤＦ（原稿給紙装置の一部）
１１    給紙トレイ
１２    移動トレイ
１３    リフト部材
１４    給紙ローラ
１５    排紙トレイ
１６    排紙検出センサ（第１検出手段）
１７    原稿検出センサ（第２検出手段）
１００    スキャナ（画像読取装置）
１２０    操作部（原稿給紙装置の一部）
１３０    表示部（原稿給紙装置の一部）
１４０    制御部（原稿給紙装置の一部）
１４１    ＣＰＵ
１４１ａ    開始受付部
１４１ｂ    下降指示部
１４１ｃ    禁止部
１４１ｄ    給紙開始部
１４１ｅ    排紙完了判定部
１４１ｆ    報知部
１４１ｇ    上昇指示部
２    駆動機構
２１    モータ
【図１】
2007320709.tif 000003
【図２】
2007320709.tif 000004
【図３】
2007320709.tif 000005
【図４】
2007320709.tif 000006
【図５】
2007320709.tif 000007
【図６】
2007320709.tif 000008
【図７】
2007320709.tif 000009